(57)【特許請求の範囲】
【請求項１】
メインロープが巻き掛けられる複数のシーブ溝を外周部に有し、巻上機により回転駆動される駆動シーブの、前記シーブ溝の形状によって前記駆動シーブの摩耗を診断するエレベータの診断装置であって、
前記駆動シーブの下方に設けられ、前記シーブ溝の形状を検出する非接触センサと、
前記非接触センサにより検出した溝形状を画像に表示させる表示装置と、
前記表示装置に表示された溝形状と、予め入力された基準寸法で描かれた溝形状との大小を比較し、前記駆動シーブの良否を判定する判定装置と、
前記駆動シーブ又は駆動シーブに巻き掛けられたメインロープ近傍に配設され、注入されたトラクショングリースを吐出する吐出口を有するとともに、前記判定装置から前記吐出口の開放を制御する信号を受け取るグリース供給装置と、
前記グリース供給装置の下方に配設され、トラクショングリースの滴下を受け止め、前記メインロープへ塗布する塗布手段と、
を備え、
前記判定装置での判定が否の場合、前記吐出口を開放してトラクショングリースを滴下させるエレベータの診断装置。
【請求項２】
前記グリース供給装置は、注入されたトラクショングリースを加温する加温手段を備えた請求項１記載のエレベータの診断装置。
【請求項３】
前記塗布手段は、少なくとも一対から成るローラーであって、前記ローラー間に前記メインロープを挟持する請求項１又は請求項２記載のエレベータの診断装置。
【請求項４】
前記塗布手段は一対の平刷毛であって、この平刷毛の毛先を対向させ、毛先間に前記メインロープを挟持する請求項１又は請求項２記載のエレベータの診断装置。
【請求項５】
前記巻上機に設置され、前記駆動シーブの下方に設けられるブラケットを有し、前記非接触センサは、前記ブラケットに取り付けられる請求項１乃至請求項４のいずれか１項に記載のエレベータの診断装置。
【請求項６】
前記非接触センサは、渦電流センサである請求項１乃至請求項５のいずれか１項に記載のエレベータの診断装置。
【請求項７】
前記吐出口は、トラクショングリースの吐出量を調整する開閉自在な弁機構を有する請求項１乃至請求項６のいずれか１項に記載のエレベータの診断装置。
【請求項８】
前記基準寸法は、前記シーブ溝が摩耗して駆動摩擦力が低下した場合に、前記トラクショングリースをメインロープに塗布して、トラクションを確保すべきとするシーブ溝の形状を数値化したものである請求項１乃至請求項７のいずれか１項に記載のエレベータの診断装置。
【請求項９】
前記トラクショングリースは、パーフルオロアルキルポリエーテル系オイルを基油とし、増稠剤としてリチウム石けんを使用したリチウム石けん系グリースである請求項１乃至請求項８のいずれか１項に記載のエレベータの診断装置。
【請求項１０】
前記加温手段は、前記グリース供給装置の底部に取り付けられるラインヒータ又はストリップヒータである請求項２記載のエレベータの診断装置。
【発明の詳細な説明】
【技術分野】
【０００１】
本発明の実施形態は、エレベータの診断装置に関する。
【背景技術】
【０００２】
エレベータの駆動シーブ（溝車）の外周部には複数本のメインロープが巻き掛けられるシーブ溝が設けられており、この駆動シーブを巻上機により回転駆動すると、各メインロープがシーブ溝との間に生じる摩擦力によって巻き取られるようになっている。
【０００３】
駆動シーブを長期間使用すると、メインロープとの摩擦力でシーブ溝が摩耗するため、その断面形状（溝形状）が徐々に変化していく。シーブ溝の摩耗が進むと、メインロープとの摩擦力が低下する他、メインロープが巻き掛けてある中心径が小さくなるため、パルスレートのずれや、メインロープの寿命低下等が生じる場合がある。また、シーブ溝の内、例えば、１つの溝のみ摩耗が進んだ場合、この溝のみメインロープの送り量が異なるため、各メインロープの張力が不均等になる。
【０００４】
シーブ溝の形状変化はメインロープや駆動シーブの寿命に影響を及ぼすので、安全性や信頼性を確保するため、駆動シーブのシーブ溝が不所望に摩耗していないかどうかを把握する必要がある。
【０００５】
そこで、トラクション向上対策として、メインロープ用のグリースとしてトラクショングリースの適用がある。しかしながら、トラクショングリースの適用は、メインロープの寿命が短かくなってしまうという問題点があった。
【先行技術文献】
【特許文献】
【０００６】
【特許文献１】特開平５−２７８９７５号公報
【特許文献２】特開平１１−６７１６号公報
【発明の概要】
【発明が解決しようとする課題】
【０００７】
本発明が解決しようとする課題は、駆動シーブのシーブ溝の摩耗状況を把握し、所定量を超えて摩耗した場合に、トラクショングリースを供給することができるエレベータの診断装置を提供することである。
【課題を解決するための手段】
【０００８】
実施形態のエレベータの診断装置は、メインロープが巻き掛けられる複数のシーブ溝を外周部に有し、巻上機により回転駆動される駆動シーブの、前記シーブ溝の形状によって前記駆動シーブの摩耗を診断するエレベータの診断装置であって、前記駆動シーブの下方に設けられ、前記シーブ溝の形状を検出する非接触センサと、前記非接触センサにより検出した溝形状を画像に表示させる表示装置と、
前記表示装置に表示された溝形状と、予め入力された基準寸法で描かれた溝形状との大小を比較し、前記駆動シーブの良否を判定する判定装置と、前記駆動シーブ又は駆動シーブに巻き掛けられたメインロープ近傍に配設され、注入されたトラクショングリースを吐出する吐出口を有するとともに、前記判定装置から前記吐出口の開放を制御する信号を受け取るグリース供給装置と、前記グリース供給装置の下方に配設され、トラクショングリースの滴下を受け止め、前記メインロープへ塗布する塗布手段と、を備え、前記判定装置での判定が否の場合、前記吐出口を開放してトラクショングリースを滴下させる。
【図面の簡単な説明】
【０００９】
【図１】エレベータの全体構成を概略的に示す図である。
【図２】駆動シーブの断面図である。
【図３】実施形態に係るエレベータの診断装置の概略構成を示す図である。
【図４】シーブ溝の断面図である。
【発明を実施するための形態】
【００１０】
以下、本発明の一実施の形態について、図面を参照して説明する。尚、各図において同一箇所については同一の符号を付すとともに、重複した説明は省略する。
【００１１】
本実施形態に係るエレベータの診断装置は、シーブ溝が摩耗してメインロープのすべりが惹起される虞が生じた場合に、シーブ溝にトラクショングリースを塗布することにより、トラクションを確保するものである。
【００１２】
まず、本実施形態に係るエレベータの診断装置が適用されるエレベータについて、概説する。図１は、エレベータの全体構成を概略的に示す図である。エレベータの昇降路１上部には、巻上機２が設置されている。この巻上機２には、駆動シーブ３及びそらせシーブ４が配設されている。駆動シーブ３及びそらせシーブ４には、メインロープ５が巻き掛けられており、メインロープ５の一端には乗りかご６が懸架されている。一方、メインロープ５の他端にはつり合いおもり７が懸架されている。
【００１３】
図２は、駆動シーブ３の断面図である。図２に示すように、駆動シーブ３のメインロープ５との接触部にはシーブ溝８が形成されており、乗りかご６への乗客の乗降などで、乗りかご６側とつり合いおもり７側で張力差が生じても、シーブ溝８とメインロープ５との摩擦によって、乗りかご６の位置は保持される。メインロープ５は一般に、心綱９の周りに、撚り合わせた複数本の素線から成るストランド１７を撚り合わせて構成されている。
【００１４】
図３は、本実施形態に係るエレベータの診断装置の概略構成を示す図である。このエレベータの診断装置は、基本的には、エレベータ装置に併設しておく。
【００１５】
図３に示すように、本実施形態に係るエレベータの診断装置は、巻上機２と、巻上機２により駆動される駆動シーブ３と、巻上機２に設置され、駆動シーブ３の下方に設けられたブラケット１０と、ブラケット１０に取り付けられるとともに、その感知部が駆動シーブ３のシーブ溝に向かって配設された非接触センサ１１と、非接触センサ１１からの出力を取り込んで表示する表示装置１２と、判定装置１３と、グリース供給装置１４、ローラー１５から構成されている。
【００１６】
非接触センサ１１は、シーブ溝８に接触することなく、エレベータの通常運転中でも各シーブ溝８の形状を検出するものである。非接触センサ１１としては、例えば、渦電流センサを使用することができる。渦電流センサは、渦電流効果を利用したもので、センサ部のコイルのインダクタンスＬと変換部のコンデンサＣによりＬＣ共振回路を形成し、この回路を水晶発振子により共振状態とする。高周波電流を流したコイルを駆動シーブ３のシーブ溝８に近づけると、コイルで発生する交流磁界により駆動シーブ３内に渦電流が流れる。渦電流の強さは、到達する磁力線の強度、すなわちコイルと駆動シーブ３のシーブ溝８との距離に依存するため、渦電流の強度によってインダクタンスＬは変化する。インダクタンスＬの変化は距離の関数となり、この信号を検波することによりシーブ溝８までのギャップが求められる。
【００１７】
表示装置１２は、非接触センサ１１により検出したシーブ溝形状を画像として表示させるものである。表示装置１２としては、例えば、液晶ディスプレイ方式のモニタを使用することができる。
【００１８】
判定装置１３は、表示装置１２と接続され、表示装置１２に表示されたシーブ溝形状と、予め入力された基準寸法で描かれたシーブ溝形状とを比較し、良否を判定するものである。
【００１９】
ここで、基準寸法とは、駆動シーブ３のシーブ溝が摩耗して駆動摩擦力が低下した場合に、後述するトラクショングリースをメインロープに塗布して、トラクションを確保すべきとするシーブ溝の形状を数値化したものである。基準寸法は、複数の駆動シーブについて個々に設定してもよい。また、隣接するシーブ溝同士の差について設定することもできる。
【００２０】
グリース供給装置１４は、トラクショングリースが充填されたタンクとして構成される。装置の一端部には、トラクショングリースを吐出するための吐出口１４ａが配設されている。吐出口１４ａは、トラクショングリースの吐出量を調整する開閉自在な弁機構（図示しない）を有している。
【００２１】
グリース供給装置１４は、判定装置１３と接続され、判定装置１３による判定情報を受け取る。詳細は後述するが、判定情報に応じて吐出口１４ａからトラクショングリースを吐出する。
【００２２】
また、グリース供給装置１４は、トラクショングリース加熱用のヒータ（図示しない）を内蔵している。ヒータは、トラクショングリースの低温時の流動性低下を調整するために、加温するためのものである。ヒータは、例えばラインヒータやストリップヒータをグリース供給装置１４の底部に取り付け、グリース供給装置１４を加熱させてもよい。また、グリース供給装置１４内にトラクショングリースが満たされるパイプを敷設し、該パイプをバンドヒータやシースヒータで円筒面加熱してもよい。
【００２３】
尚、ヒータによって常時加温している必要はない。判定情報に応じて吐出口１４ａからトラクショングリースを吐出する際に、周囲温度あるいはトラクショングリース自体の温度が、一定温度以下の場合に、加温すれば十分である。
【００２４】
トラクショングリースは、回転体の回転時のトルクが高く、抑速作用や高い動力伝達機能を要求される機械構成部品の潤滑に使用される。トラクショングリースは、パーフルオロアルキルポリエーテル系オイルを基油とし、増稠剤としてリチウム石けんを使用したリチウム石けん系グリースやポリテトラフルオロエチレン系樹脂を含むものとすることができる。上記したように、過度のトラクショングリースの塗布は、メインロープの寿命を低減させる。そこで、本実施形態では、メインロープのすべりが懸念される状況下に限って、トラクショングリースを塗布するものである。
【００２５】
ローラー１５は、少なくとも一対から成る円筒状の回転体である。メインロープはローラー１５間に挟まれ、上方あるいは下方に繰り出される。ローラー１５には、メインロープの断面形状よりも幾分小さな溝を形成してもよい。
【００２６】
ローラー１５は、グリース供給装置１４の吐出口１４ａの下方に配設され、トラクショングリースの滴下をローラー間で受け止める。
【００２７】
上記したように、ローラー１５はトラクショングリースをメインロープに塗布する手段として機能する。塗布手段は、ローラー１５に限定されることはない。例えば、一対の平刷毛（図示しない）の毛先を対向させ、毛先間にメインロープを挟むようにして配設する。そして、グリース供給装置１４の吐出口１４ａから滴下されるトラクショングリースを刷毛の毛先間で受け止める。
【００２８】
次に、シーブ溝の摩耗の判定方法について、図４を用いて説明する。図４は、シーブ溝８の断面図である。非接触センサ１１は、シーブ溝８に接触することなく、エレベータの通常運転中でも各シーブ溝８の形状を検出する。すなわち、駆動シーブ３の全周に亘ってシーブ溝８の形状を把握することができる。また、複数の駆動シーブ３のシーブ溝８について同期をとりながら、シーブ溝８の形状を把握するので、隣り合うシーブ溝同士間における摩耗の偏り状況を的確に把握することができる。さらに、非接触センサ１１自体によって、シーブ溝８を損傷させたり、変形させたりする虞もない。駆動シーブ３のシーブ溝８には、グリースの付着したメインロープ５が巻き付けられる。したがって、非接触センサ１１は、測定対象であるシーブ溝８の表面上の油や水等の影響を受けない特性のものでなければならない。
【００２９】
非接触センサ１１によって検出されたシーブ溝形状１６は、表示装置１２によって画像として表示され、判定装置１３に予め入力され保持した基準寸法、例えばメインロープ５のすべりが惹起される摩耗限界で描かれた溝形状（以下、基準寸法ともいう）１７とを比較される。検出されたシーブ溝形状１６が、図４に示すように基準寸法１７より小さい場合、つまり摩耗限界に達していない場合は、判定装置１３にて良と判定する。
【００３０】
これに対し、検出されたシーブ溝形状１６が、基準寸法１７より大きい場合、つまり、摩耗限界を超えている場合は、駆動シーブ３は駆動力が低下し、メインロープ５のすべりが惹起される虞が強い。ひいては、所望のトラクション力が不足する。そこで、判定装置１３にて否と判定された場合には、グリース供給装置１４の吐出口１４ａの開放弁を開き、トラクショングリースをローラー１５間に滴下する。
【００３１】
メインロープ５は、ローラー１５間で挟まれながら繰り出されるので、次第にメインロープ５の全長に亘って、トラクショングリースが塗布される。トラクショングリースの抑速作用によって、シーブ溝８の摩耗が生じても、トラクションを確保することができる。
【００３２】
本実施形態によれば、シーブ溝が摩耗してメインロープのすべりが惹起される虞が生じた場合に、シーブ溝にトラクショングリースを塗布することにより、トラクションを確保することが可能となる。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１・・・昇降路
２・・・巻上機
３・・・駆動シーブ
４・・・そらせシーブ
５・・・メインロープ
６・・・乗りかご
７・・・つり合いおもり
ｌ０・・・ブラケット
１１・・・非接触センサ
１２・・・表示装置
１３・・・判定装置
１４・・・グリース供給装置
１５・・・ローラー
【図１】
0005571132.tif 000002
【図２】
0005571132.tif 000003
【図３】
0005571132.tif 000004
【図４】
0005571132.tif 000005